(57)【特許請求の範囲】
【請求項１】
標準電波を受信する受信手段と、
前記受信手段により受信された前記標準電波に含まれる時刻情報に基づいて内部時刻を修正する時刻修正手段と、
前記時刻情報を記憶する記憶手段と、
前記内部時刻を表示する表示手段と、
前記受信手段を制御する制御手段とを備え、
前記制御手段は、
前記標準電波を受信する際に、
前記記憶手段に前記時刻情報が記憶されている場合には、前記標準電波を受信して、フレーム毎に送信される前記時刻情報を取得する回数である受信回数の最大値を第１の回数に設定し、
前記時刻情報が記憶されていない場合には、前記受信回数の最大値を前記第１の回数より多い第２の回数に設定する最大値設定部と、
前記受信手段による前記標準電波の受信の成否を判定する成否判定部と、
前記標準電波の受信が成功したと判定されると、前記受信手段による受信処理を終了させ、
前記標準電波の受信が不成功と判定されると、前記受信回数が前記最大値に達していない場合、前記受信手段による受信処理を継続させ、前記受信回数が前記最大値に達している場合、前記受信手段による受信処理を終了させる受信制御部と、を備える
ことを特徴とする電波修正時計。
【請求項２】
時刻情報が含まれる標準電波を受信して、前記時刻情報に基づいて内部時刻を修正する電波修正時計の制御方法であって、
前記標準電波を受信する際に、
前記時刻情報が記憶されている場合には、前記標準電波を受信して、フレーム毎に送信される前記時刻情報を取得する回数である受信回数の最大値を第１の回数に設定し、
前記時刻情報が記憶されていない場合には、前記受信回数の最大値を前記第１の回数より多い第２の回数に設定するステップと、
前記標準電波の受信の成否を判定するステップと、
前記標準電波の受信が成功したと判定されると、受信処理を終了させ、
前記標準電波の受信が不成功と判定されると、前記受信回数が前記最大値に達していない場合、受信処理を継続させ、前記受信回数が前記最大値に達している場合、受信処理を終了させるステップと、を備える
ことを特徴とする電波修正時計の制御方法。
【発明の詳細な説明】
【技術分野】
【０００１】
本発明は、電波修正時計及び電波修正時計の制御方法に関する。
【背景技術】
【０００２】
従来、時刻情報を含む標準電波を受信し、当該時刻情報に基づいて内部時刻を修正する電波修正時計が知られている（例えば、特許文献１参照）。
この特許文献１に記載の電波修正時計は、内部時刻（計時データ記憶部の時刻情報）が所定の時刻に達した場合に標準電波を受信する定時受信動作と、外部入力手段の操作に応じて標準電波を受信する強制受信動作とを実施し、受信された標準電波に含まれる時刻情報に基づいて、内部時刻を修正する。
この特許文献１に記載の電波修正時計では、定時受信動作時での標準電波を受信するための受信手段の駆動試行回数と、強制受信動作時での受信手段の駆動試行回数とを異ならせている。例えば、定時受信動作を実行する場合の駆動試行回数は３回に設定され、強制受信動作を実行する場合の駆動試行回数は１回に設定される。このような構成により、当該電波修正時計は、電力の消耗を抑制している。
【先行技術文献】
【特許文献】
【０００３】
【特許文献１】特開２００５−２２７２０３号公報
【発明の概要】
【発明が解決しようとする課題】
【０００４】
ところで、過去に標準電波を受信する等して、電波修正時計に時刻情報が既に記憶されている場合には、次回受信時に全ての情報（日付情報及び時刻情報）を取得する必要はない。詳述すると、内部時刻に含まれる日付や、「時」及び「分」はそれ程ずれないが、「秒」はずれやすいため、当該「秒」の情報が最低限取得されれば、内部時刻を修正できる。このように、特定の情報だけ取得する場合には、取得すべき情報量が少ないことから、ノイズ等の影響を受けて当該特定の情報が適切に受信されない確率は比較的低く、エラー（誤った情報が取得されること）が生じる確率は比較的低い。このため、少ない回数で標準電波の受信処理を済ませることができるので、消費電力を抑制できる。
【０００５】
一方、工場出荷時や、電池残量が無くなるなどして制御ＩＣに電力が供給されなくなった状態からの当該制御ＩＣの復帰時には、電波修正時計はリセット（初期化）されるので、時刻情報は電波修正時計に記憶されていないこととなる。このような場合には、標準電波から１フレーム分の時刻情報を取得する必要がある。しかしながら、この場合には、取得すべき情報量が多いことから、ノイズ等の影響を受けて当該１フレーム分の時刻情報に含まれる各情報のいずれかが適切に受信されない確率が比較的高くなり、上記エラーが生じる可能性が比較的高くなる。
【０００６】
このような問題に対して、標準電波の受信回数（この場合、標準電波を１分間受信する回数）を多くすることで、当該１フレーム分の時刻情報を確実に取得することが考えられる。しかしながら、このような場合には、標準電波の受信時間も長くなり、消費電力も大きくなる。
従って、既に時刻情報が記憶されている場合と、記憶されていない場合とで、標準電波の受信処理を同じ回数実行すると、一方で適切な時刻情報を取得できず、他方で消費電力が増大するという問題がある。
【０００７】
本発明の目的は、時刻情報を適切に取得できるとともに、消費電力を低減できる電波修正時計及び電波修正時計の制御方法を提供することである。
【課題を解決するための手段】
【０００８】
本発明の電波修正時計は、標準電波を受信する受信手段と、前記受信手段により受信された前記標準電波に含まれる時刻情報に基づいて内部時刻を修正する時刻修正手段と、前記時刻情報を記憶する記憶手段と、前記内部時刻を表示する表示手段と、前記受信手段を制御する制御手段とを備え、前記制御手段は、前記標準電波を受信する際に、前記記憶手段に前記時刻情報が記憶されている場合には、前記標準電波を受信して、フレーム毎に送信される前記時刻情報を取得する回数である受信回数の最大値を第１の回数に設定し、前記時刻情報が記憶されていない場合には、前記受信回数の最大値を前記第１の回数より多い第２の回数に設定することを特徴とする。
【０００９】
なお、受信回数は、１フレームの時刻情報が含まれる標準電波の送信期間（すなわち１分間）毎に、当該送信期間以下の標準電波の受信処理を実行する回数を示すものである。すなわち、受信回数が複数回である場合には、標準電波の受信処理は当該送信期間が経過する毎に実行される。このような受信回数は、例えば、受信された標準電波に応じた受信信号を復調して１フレーム分の時刻情報を取得し、取得された１フレーム分の時刻情報から少なくともいずれかの情報を取得する回数、或いは、受信された標準電波に応じた受信信号の特定部分を復調して、時刻情報のうちの特定の情報を取得する回数とすることができる。
【００１０】
本発明によれば、時刻情報が記憶されていない場合の標準電波の受信回数の最大値は、時刻情報が記憶されている場合の標準電波の受信回数の最大値より大きい。これによれば、時刻修正をする際の標準電波の受信回数（この場合、標準電波を１分間受信する回数）を多くすることで、標準電波の受信処理の成功確率を高めることができ、時刻情報が適切に取得される確率を高めることができる。従って、時刻情報が記憶されておらず、１フレーム分の時刻情報を取得する必要がある場合に、当該時刻情報を適切に取得でき、内部時刻を適切に修正できる。
【００１１】
一方、時刻情報が既に記憶されており、１フレーム分の時刻情報における特定の情報（例えば「秒」の情報）のみを取得する場合には、１フレーム分の時刻情報の全てを取得する場合に比べて、上記エラーの発生確率が低いので、標準電波の受信回数の最大値が小さくても、当該特定の情報を取得でき、時刻修正を行うことができる。この場合、受信回数が少なくて済むので、消費電力を低減できる。
従って、時刻情報を適切に取得できるとともに、時刻情報を既に記憶している場合には消費電力を低減できる。
【００１２】
また、上記のように、時刻情報が記憶されていない場合及び記憶されている場合のそれぞれで、受信回数の最大値が設定される。これによれば、標準電波の受信及び時刻情報の取得が成功しない状態が続いた場合、標準電波を受信する試行回数が最大値に達すると、受信処理は停止される。従って、標準電波を受信できない状況で受信処理が継続実行されて、無駄な電力が消費されることを抑制できる。
【００１３】
本発明では、前記制御手段は、前記受信手段による前記標準電波の受信の成否を判定する成否判定部と、前記成否判定部により、前記標準電波の受信が成功したと判定されると、前記受信手段による受信処理を終了させる受信制御部とを備えることが好ましい。
本発明によれば、成否判定部により標準電波の受信が成功したと判定されると、受信制御部が受信手段による受信処理を終了させる。これによれば、標準電波の受信回数が最大値に達していない場合でも、時刻情報が適切に取得されれば、標準電波の受信処理を終了させることができる。従って、不要な電力消費を抑制できる。
【００１４】
また、本発明の電波修正時計の制御方法は、時刻情報が含まれる標準電波を受信して、前記時刻情報に基づいて内部時刻を修正する電波修正時計の制御方法であって、前記標準電波を受信する際に、前記時刻情報が記憶されている場合には、前記標準電波を受信して、フレーム毎に送信される前記時刻情報を取得する回数である受信回数の最大値を第１の回数に設定し、前記時刻情報が記憶されていない場合には、前記受信回数の最大値を前記第１の回数より多い第２の回数に設定することを特徴とする。
本発明によれば、前述の電波修正時計と同様の効果を奏することができる。
【図面の簡単な説明】
【００１５】
【図１】本発明の第１実施形態に係る電波修正時計の構成を示すブロック図。
【図２】前記実施形態における受信制御処理を示すフローチャート。
【図３】前記実施形態における主制御部の構成を示すブロック図。
【発明を実施するための形態】
【００１６】
以下、本発明の一実施形態について、図面に基づいて説明する。
［電波修正時計の概略構成］
図１は、本実施形態に係る電波修正時計１の構成を示すブロック図である。
本実施形態に係る電波修正時計１は、長波標準電波（以下「標準電波」と略す）を受信し、当該標準電波に含まれる時刻情報を取得して、計時している内部時刻を当該時刻情報に基づいて修正する。この電波修正時計１は、図１に示すように、アンテナ２、受信回路３、制御回路４、発振器５、表示手段６及び操作手段７を備える。
【００１７】
アンテナ２は、標準電波を受信して、受信した標準電波に応じた受信信号を受信回路３に出力する。
受信回路３は、アンテナ２に特定の周波数の電波を受信させるとともに、当該アンテナ２から入力される受信信号に基づいて、ＴＣＯ（Time Code Out：タイムコード出力）信号を復調し、当該ＴＣＯ信号を制御回路４に出力する。
これらアンテナ２及び受信回路３により、本発明の受信手段が構成される。なお、受信回路３の構成は、後に詳述する。
【００１８】
制御回路４は、電波修正時計１の動作を制御する。例えば、制御回路４は、受信回路３に制御信号を出力して当該受信回路３の動作を制御する。また、制御回路４は、受信回路３から入力されるＴＣＯ信号をデコードしてＴＣ（Time Code）を生成し、当該ＴＣに基づいて内部時刻を修正する。更に、制御回路４は、当該内部時刻を表示手段６に表示させる。このような制御回路４の構成は、後に詳述する。
発振器５は、水晶振動子を有し、当該水晶振動子により発振される所定の基準クロック周波数（例えば３２．７６８ｋＨｚ）の基準信号を出力する。この発振器５から出力された基準信号は、制御回路４に入力され、当該制御回路４により、１Ｈｚの信号に分周される。
【００１９】
表示手段６は、制御回路４で計時されている内部時刻を表示する。この表示手段６は、液晶パネルにより構成できる他、文字板及び指針と、当該指針を回転させるステップモーター及び複数の歯車とを備える構成を採用することも可能である。
操作手段７は、例えば、電波修正時計１の外部に露出したリューズやボタン等により構成され、使用者による操作に応じた操作信号を制御回路４に出力する。このような操作信号として、アンテナ２で受信される標準電波の種類（例えば、日本における標準電波ＪＪＹ（搬送周波数：４０ｋＨｚ，６０ｋＨｚ）、アメリカ合衆国における標準電波ＷＷＶＢ（搬送周波数：６０ｋＨｚ）、イギリスにおける標準電波ＭＳＦ（搬送周波数：６０ｋＨｚ）、及び、ドイツにおける標準電波ＤＣＦ７７（搬送周波数：７７．５ｋＨｚ）等）を示す信号や、標準電波を受信させて内部時刻を修正させる信号、及び、内部時刻を修正するために標準電波を受信させる時刻を予め設定させる信号等が挙げられる。
【００２０】
［受信回路の構成］
受信回路３は、制御回路４による制御の下、アンテナ２から入力される受信信号からＴＣＯ信号を復調し、当該ＴＣＯ信号を制御回路４に出力する。この受信回路３は、同調回路３１、第１増幅回路３２、局部発振信号生成部３３、周波数変換部３４、ＢＰＦ（Band-pass filter）３５、第２増幅回路３６、検波回路３７、二値化回路３８及びデコード回路３９を備える。
これらのうち、デコード回路３９は、制御回路４から入力される制御信号をデコードして、当該制御信号により示される制御内容を、各機能部３１〜３８に出力する。
【００２１】
同調回路３１は、コンデンサーを備えて構成され、当該同調回路３１とアンテナ２とにより並列共振回路が構成される。この同調回路３１は、特定の周波数の電波をアンテナ２に受信させる。この同調回路３１により、アンテナ２で受信された標準電波が電圧信号に変換され、受信信号として第１増幅回路３２に出力される。
【００２２】
具体的に、操作手段７に対する操作に応じて、受信対象の標準電波の種類を示す信号が制御回路４に入力されると、当該標準電波を受信させる制御信号が、制御回路４からデコード回路３９を介して同調回路３１に入力される。この制御信号の入力に応じて、同調回路３１は、当該標準電波を受信可能な状態にアンテナ２を設定する。
このように本実施形態では、操作手段７に対する操作に応じて、受信される標準電波の種類が切り替えられる構成としたが、例えば、受信する周波数を順次切り替えて、受信可能な標準電波を自動的に検出する構成としてもよい。また、受信回路３は、標準電波ＪＪＹ、ＷＷＶＢ、ＭＳＦ及びＤＣＦ７７を受信可能に構成されているが、例えば中国の標準電波ＢＰＣ等、他の標準電波を受信可能な構成としてもよい。
【００２３】
第１増幅回路３２は、同調回路３１から入力される受信信号を一定の振幅に増幅する。なお、ＡＧＣ（Auto Gain Control）回路が設けられる場合には、当該ＡＧＣ回路により、検波回路３７にて生成される包絡線信号の信号レベルに基づいて、第１増幅回路３２のゲインを調整する構成としてもよい。
【００２４】
局部発振信号生成部３３は、周波数変換部３４に出力される局部発振信号を生成する。具体的に、局部発振信号生成部３３は、制御回路４から入力される前述の基準信号に基づいて、所定周波数の信号を生成し、当該信号を分周等することで、局部発振信号を生成する。この局部発振信号は、周波数変換部３４から出力される受信信号の周波数を所定の中間周波数（例えば、ＢＰＦ３５が有する水晶フィルターの中心周波数）に揃えるための局部発振周波数で発振される。すなわち、水晶フィルターによるノイズ除去を効果的に行うために、局部発振信号生成部３３は、第１増幅回路３２から出力された受信信号と局部発振信号とが周波数変換部３４にて混合されて得られる処理用信号の周波数（受信信号の周波数と局部発振信号の周波数との差分である中間周波数）を、ＢＰＦ３５の水晶フィルターの中心周波数と一致させる周波数の当該局部発振信号を生成する。
例えば、当該水晶フィルターの中心周波数が３０ｋＨｚであり、４０ｋＨｚの標準電波が受信される際には、局部発振信号生成部３３は、７０ｋＨｚの局部発振信号を周波数変換部３４に出力する。また、６０ｋＨｚの標準電波が受信される際には、局部発振信号生成部３３は、９０ｋＨｚの局部発振信号を出力する。更に、７７．５ｋＨｚの標準電波が受信される際には、局部発振信号生成部３３は、１０７．５ｋＨｚの局部発振信号を出力する。
【００２５】
周波数変換部３４は、第１増幅回路３２から入力される受信信号と、局部発振信号生成部３３から入力される局部発振信号とを混合して、上記中間周波数の処理用信号をＢＰＦ３５に出力する。すなわち、受信信号の周波数をｆ０、局部発振信号の周波数をｆ１とすると、周波数変換部３４は、中間周波数ｆＩＦ１＝｜ｆ０−ｆ１｜の処理用信号を生成し、ＢＰＦ３５に出力する。
なお、周波数変換部３４には、４０ｋＨｚ，６０ｋＨｚ，７７．５ｋＨｚの各標準電波に対応して、それぞれ局部発振周波数が７０ｋＨｚ，９０ｋＨｚ，１０７．５ｋＨｚである局部発振信号が、局部発振信号生成部３３から入力される。このため、周波数変換部３４から出力される処理用信号の周波数は、３０ｋＨｚとなる。
【００２６】
ＢＰＦ３５は、周波数変換部３４から入力された処理用信号のうち、所定の周波数帯域の信号成分のみを通過させ、帯域外の周波数成分の信号を遮断する。このＢＰＦ３５は、水晶フィルターを備えて構成され、当該水晶フィルターの中心周波数は、３０ｋＨｚに設定されている。すなわち、周波数変換部３４から出力される処理用信号の周波数を、当該水晶フィルターの中心周波数に合わせることで、ノイズを効果的に除去している。
【００２７】
第２増幅回路３６は、ＢＰＦ３５から入力される受信信号を、固定のゲインで更に増幅する。
検波回路３７は、詳しい図示を省略するが、整流器及びＬＰＦ（Low-Pass Filter）を備え、第２増幅回路３６から入力される受信信号を整流及びろ波し、得られた包絡線信号を二値化回路３８に出力する。
二値化回路３８は、例えば、二値化コンパレーターで構成される。この二値化回路３８は、検波回路３７から入力される包絡線信号の信号レベルと、基準電圧の電圧レベルとを比較して、二値化信号であるＴＣＯ信号を生成する。そして、二値化回路３８は、当該ＴＣＯ信号を制御回路４に出力する。
【００２８】
［制御回路の構成］
制御回路４は、前述のように、電波修正時計１全体の動作を制御する。この制御回路４は、ＴＣＯデコード部４１、記憶部４２、計時部４３、時刻修正部４４、駆動制御部４５及び主制御部４６を備える。
ＴＣＯデコード部４１は、受信回路３から入力されるＴＣＯ信号をデコードして、当該ＴＣＯ信号からＴＣを抽出する。このＴＣには、日付情報及び時刻情報等が含まれる。そして、ＴＣＯデコード部４１は、抽出したＴＣを主制御部４６に出力する他、記憶部４２に記憶させる。なお、本実施形態では、ＴＣＯデコード部４１は、前述の標準電波ＪＪＹ、ＷＷＶＢ、ＭＳＦ、ＤＣＦ７７等、複数種類の標準電波のＴＣをデコード可能に構成されている。
【００２９】
記憶部４２は、本発明の記憶手段に相当し、制御回路４による電波修正時計１の制御に必要な各種データ及びプログラムを記憶する。例えば、記憶部４２は、前述のＴＣＯデコード部４１により取得されたＴＣを記憶する他、電波修正時計１における内部時刻を記憶する。
計時部４３は、発振器５から入力される基準信号から生成された１Ｈｚの信号に基づいて、記憶部４２に記憶されている内部時刻を更新し、これにより、現在日時を計時する。
【００３０】
時刻修正部４４は、本発明の時刻修正手段に相当し、ＴＣＯデコード部４１により取得されたＴＣに基づいて、記憶部４２に記憶された内部時刻を修正する。
駆動制御部４５は、表示手段６の駆動を制御して、当該表示手段６に内部時刻を表示させる。例えば、表示手段６が液晶パネルにより構成されている場合には、駆動制御部４５は、当該液晶パネルに内部時刻を表示させる。また、表示手段６が、文字板及び指針と、当該指針を回転させるステッピングモーター及び歯車とを有する構成である場合には、駆動制御部４５は、ステッピングモーターにパルス信号を出力して、指針により内部時刻を表示させる。なお、現在時刻に加えて日時を表示する構成としてもよい。
【００３１】
［主制御部の構成］
主制御部４６は、発振器５から入力される基準信号に基づいて駆動して、各種制御処理を実行する。例えば、主制御部４６は、発振器５から入力される基準信号を受信回路３に出力するとともに、前述のデコード回路３９に制御信号を出力する。この主制御部４６からデコード回路３９に入力される制御信号は、シリアル通信線を介して伝送される。すなわち、主制御部４６は、本発明の制御手段に相当する。
【００３２】
図２は、主制御部４６により実行される受信制御処理を示すフローチャートである。また、図３は、主制御部４６の構成を示す機能ブロック図である。
このような主制御部４６は、標準電波を受信させて内部時刻を修正する処理（強制時刻修正処理）を実行させる操作が操作手段７に行われた場合や、予め設定された時刻に内部時刻が達して、当該内部時刻を修正する処理（定時時刻修正処理）を実施する場合に、図２に示す受信制御処理を実行する。この受信制御処理は、既にＴＣが記憶されているか否かに基づいて標準電波の受信回数の最大値を設定し、当該標準電波の受信処理を実行させて、内部時刻を修正する処理である。
このような処理を実行するため、主制御部４６は、図３に示すように、ＴＣ判定部４６１、最大値設定部４６２、受信制御部４６３、第１試行回数判定部４６４、成否判定部４６５及び第２試行回数判定部４６６を機能的に備える。
【００３３】
この受信制御処理では、図２に示すように、まず、ＴＣ判定部４６１が、受信対象の標準電波に応じたＴＣが記憶部４２に記憶されているか否かを判定する（ステップＳ１）。このため、受信対象でない標準電波が過去に異なる場所で受信され、当該標準電波に応じたＴＣが記憶されている場合でも、ＴＣ判定部４６１は、受信対象の標準電波に応じたＴＣが記憶されていなければ、ＴＣは記憶されていないとステップＳ１で判定する。
【００３４】
次に、最大値設定部４６２が、ＴＣ判定部４６１による判定結果に基づいて、１回の受信処理にて実施される標準電波の受信回数（１分間分の標準電波を受信する回数）の最大値を設定する。
具体的に、ＴＣ判定部４６１によりＴＣが記憶されていると判定されると、最大値設定部４６２は、当該最大値をｓ（例えば「１０」）に設定する（ステップＳ２）。このｓは、本発明の第１の回数に相当する。
一方、ＴＣが記憶されていないと判定されると、最大値設定部４６２は、当該最大値をｓより大きな値であるｔ（例えば「１５」）に設定する（ステップＳ３）。このｔは、本発明の第２の回数に相当する。
なお、これら最大値は、適宜変更可能である。
【００３５】
ステップＳ２或いはステップＳ３の後、受信制御部４６３が、受信回路３の動作を制御して、当該受信回路３による標準電波の受信処理を実行させる（ステップＳ４）。この際、受信制御部４６３は、受信対象の標準電波の種別を示す制御信号をデコード回路３９に出力する。これにより、前述の同調回路３１及びアンテナ２による当該標準電波の受信が可能となる。
【００３６】
この後、第１試行回数判定部４６４が、既に実行した１分間分の標準電波の受信回数（試行回数）が所定値を超えたか否か、すなわち、当該標準電波の受信処理を所定回実施したか否かを判定する（ステップＳ５）。このステップＳ５にて、試行回数が所定値を超えたか否かを判定するのは、取得されたＴＣが適切なデータであるか否かをステップＳ６にて判定及び検証する際に、当該ＴＣを複数回取得しておく必要があるためである。
【００３７】
このような所定値は、本実施形態では、前述の最大値以下の値に設定されている。すなわち、最大値にｓ（第１の回数）が設定されている場合には、当該所定値にｓ以下の値が設定され、最大値にｔ（第２の回数）が設定されている場合には、当該所定値にｔ以下の値が設定される。このため、当該所定値は「１」でもよいし、当該最大値と同じ値でもよい。また、最大値にｓが設定される場合（ＴＣが既に記憶されている場合）と、ｔが設定される場合（ＴＣが記憶されていない場合）とで、当該所定値に異なる値を設定してもよい。例えば、前者の場合には所定値を「１」とし、後者の場合には所定値を「ｍ（１≦ｍ≦ｔ）」としてもよい。
このような所定値は予め設定されていてもよく、最大値設定部４６２により設定された最大値に応じて設定されてもよい。
【００３８】
ここで、第１試行回数判定部４６４により、試行回数が所定値を超えていない（所定回実施していない）と判定されると、受信制御処理はステップＳ４に戻され、受信制御部４６３の制御の下、標準電波の受信処理が継続される。
一方、第１試行回数判定部４６４により、試行回数が所定値を超えた（所定回実施した）と判定されると、成否判定部４６５が、標準電波の受信開始に応じてＴＣＯデコード部４１から入力されるＴＣが適切なデータであるか否かを判定することで、当該標準電波の受信が成功したか否かを判定する（ステップＳ６）。すなわち、成否判定部４６５は、標準電波の受信処理が開始されてから入力されるＴＣ（１フレームのＴＣ）が適切なデータであるか否かを判定し、適切であれば成功と判定し、適切でなければ不成功と判定する。
【００３９】
ここで、ＴＣが記憶されていない場合には、１フレーム分のＴＣ（１分間分のＴＣ）が適切に取得される必要がある。このため、成否判定部４６５は、前述のＴＣ判定部４６１によりＴＣが記憶されていないと判定された場合には、１フレーム分のＴＣ全体が適切であるか否かを判定する。例えば、成否判定部４６５は、それぞれが示す時刻の差が１分であるＴＣが所定回連続して取得された場合に、標準電波の受信が成功したと判定する。この際、各ＴＣの日付情報により示される日付も判定条件に加えてもよく、このような判定条件は、適宜変更可能である。
【００４０】
一方、ＴＣが記憶されている場合には、１フレーム分のＴＣの全てが適切に取得される必要はなく、一部の情報（例えば「分」及び「秒」の情報）が取得されればよい。このため、成否判定部４６５は、ＴＣ判定部４６１によりＴＣが記憶されていると判定された場合には、当該一部の情報が適切であるか否かを判定する。例えば、「秒」の情報のみを取得する場合には、成否判定部４６５は、「０秒」のタイミングを示すマーカーが１分毎に連続して取得されると、標準電波の受信が成功したと判定する。また、「分」の情報も合わせて取得する場合には、前述の１フレーム分のＴＣを取得する場合と同様に、それぞれが示す時刻の差が１分であるＴＣが所定回連続して取得された場合に、標準電波の受信が成功したと判定する。なお、このような判定条件は、適宜変更可能である。
【００４１】
上記ステップＳ６での判定処理にて、成否判定部４６５により不成功と判定されると、第２試行判定部４６６が、最大値設定部４６２により設定された最大値に前述の試行回数が達したか否かを判定する（ステップＳ７）。このステップＳ７にて、試行回数が最大値に達したか否かを判定するのは、標準電波の受信処理が適切に実施できない状態で、当該受信処理が繰り返されて、電力消費量が大きくなることを防ぐためである。
ここで、第２試行判定部４６６により、試行回数が最大値に達していないと判定されると、試行回数を示すカウンターが１繰り上げられた上で、受信制御処理はステップＳ４に戻され、受信制御部４６３の制御の下、標準電波の受信処理が継続される。
一方、第２試行判定部４６６により、試行回数が最大値に達したと判定されると、受信制御部４６３により標準電波の受信処理は停止され、受信制御処理は終了される。この場合には、内部時刻の修正は行われない他、取得されたＴＣも記憶されない。なお、内部時刻の修正が行われずに受信制御処理が終了される場合には、駆動制御部４５が、表示手段６により使用者にその旨を報知してもよい。
【００４２】
上記ステップＳ６での判定処理にて、成否判定部４６５により成功と判定されると、主制御部４６は、ＴＣＯデコード部４１から入力されたＴＣに基づく内部時刻の修正を時刻修正部４４に実行させる（ステップＳ８）。なお、取得されたＴＣは、記憶部４２に記憶される。
このステップＳ８の後、受信制御部４６３により標準電波の受信処理は停止され、受信制御処理は終了される。
【００４３】
［実施形態の効果］
以上説明した本実施形態に係る電波修正時計１によれば、以下の効果がある。
最大値設定部４６２により、受信対象の標準電波に応じたＴＣ（時刻情報）が記憶されていない場合の当該標準電波の受信回数の最大値には、当該ＴＣが記憶されている場合の標準電波の受信回数の最大値より大きい値が設定される。これによれば、標準電波の受信回数を多くすることで、標準電波の受信処理の成功確率を高めることができ、時刻情報が適切に取得される確率を高めることができる。従って、ＴＣが記憶されておらず、１フレーム分のＴＣを取得する必要がある場合に、当該ＴＣを適切に取得でき、内部時刻を確実かつ適切に修正できる。
【００４４】
一方、受信対象の標準電波に応じたＴＣが既に記憶されている場合には、１フレーム分のＴＣにおける特定の情報（例えば「分」及び「秒」の情報）を取得できれば、内部時刻の修正を実施できる。この特定の情報を取得する場合には、１フレーム分の時刻情報の全てを取得する場合に比べて、エラーの発生確率（誤った情報が取得される確率）は低い。このため、標準電波の受信回数の最大値が少なくても、当該特定の情報を取得でき、内部時刻の修正を実施できる。そして、この場合には、受信回数が少なくて済むので、消費電力を低減できる。
【００４５】
更に、ＴＣが記憶されていない場合及び記憶されている場合のそれぞれで、受信回数の最大値が設定されるので、標準電波の受信及び時刻情報の取得が成功しない状態が続いた場合、試行回数が最大値に達すると、標準電波の受信処理は停止される。従って、標準電波を受信できない状況で受信処理が継続実行されて、無駄な電力が消費されることを抑制できる。
【００４６】
成否判定部４６５により標準電波の受信が成功したと判定されると、受信制御部４６３がアンテナ２及び受信回路３による受信処理を終了させる。これによれば、標準電波の受信回数が最大値に達していない場合でも、ＴＣが適切に取得されれば、当該標準電波の受信処理を終了させることができる。従って、不要な電力消費を抑制できる。
【００４７】
［実施形態の変形］
本発明は前述の実施形態に限定されるものではなく、本発明の目的を達成できる範囲での変形、改良等は本発明に含まれるものである。
前記実施形態では、成否判定部４６５は、試行回数が所定値に達した後に、取得されたＴＣが適切なデータであるか否かを判定することで、標準電波の受信処理が成功したか否かを判定したが、本発明はこれに限らない。すなわち、１分間に相当する期間、標準電波を受信するごとに、当該受信処理が成功したか否かを判定する構成としてもよい。この場合、取得されたＴＣと計時部４３により計時されている内部時刻と比較して、当該ＴＣが適切であるか否かを判定する構成としてもよい。また、成否判定部４６５を設けずに、受信回数が最大値に達するまで、標準電波の受信処理を実行する構成としてもよい。
【００４８】
前記実施形態では、過去に標準電波を受信する等してＴＣが記憶されていれば、試行回数の最大値を小さい値とし、ＴＣが記憶されていなければ、試行回数の最大値を大きい値とするとした。これに加えて、例えば、記憶されているＴＣの取得日が古い場合（例えば、取得日が１ヶ月前や１年前の場合）には、ＴＣが記憶されていないものとして、試行回数の最大値を設定してもよい。
【００４９】
前記実施形態では、試行回数が最大値を超えない範囲で、標準電波の受信が成功したと判定されるまで、１分間の標準電波の受信処理を繰り返し実行するとしたが、本発明はこれに限らない。例えば、時刻情報のうち特定の情報を取得する場合には、当該特定の情報が送信される期間のみ標準電波を受信する構成としてもよい。例えば、当該特定の情報として「秒」の情報を取得する場合には、標準電波の受信処理を実行して「０」秒のタイミングを示すマーカーが取得されると、１回の標準電波の受信処理を終了させてもよい。
【００５０】
前記実施形態では、ＴＣ判定部４６１は、記憶部４２を参照して、当該記憶部４２にＴＣが記憶されているか否かを判定したが、本発明はこれに限らない。例えば、ＴＣが記憶される際に設定されるフラグ等を参照することで、ＴＣが記憶されているか否かを判定する構成としてもよい。
【００５１】
前記実施形態では、受信回路３は、スーパーヘテロダイン方式の受信回路として構成したが、本発明はこれに限らない。例えば、受信信号の周波数の変換を行わないストレート方式の受信回路として構成してもよい。
前記実施形態では、主制御部４６と受信回路３とはシリアル通信線を介して接続されているとしたが、主制御部４６と受信回路３との間で、双方向通信が可能な２線の同期式インターフェイスを用いた双方向シリアル通信を行うように構成してもよい。このような場合、主制御部４６から制御信号が入力された受信回路３が、受信及び認識した制御信号を主制御部４６に再度転送（フィードバック）してもよい。これによれば、主制御部４６が、出力した制御信号と入力された制御信号との差異を確認することで、より信頼性の高いシリアル通信を実施できる。
【符号の説明】
【００５２】
１…電波修正時計、２…アンテナ（受信手段）、３…受信回路（受信手段）、４…制御回路（制御手段）、６…表示手段、４２…記憶部（記憶手段）、４４…時刻修正部（時刻修正手段）、４６…主制御部（制御手段）、４６３…受信制御部、４６５…成否判定部。
【図１】
0005978784.tif 000002
【図２】
0005978784.tif 000003
【図３】
0005978784.tif 000004